(57)【要約】【課題】テレビジョン受像機などの表示装置が設置されているリクライニングチェアーにおいて、利用者がテレビジョン受像機などを見ないときには、表示装置を収納するなどして、利用者のくつろぎを阻害することなく、テレビジョン受像機などを利用できるようにしたリクライニングチェアーを提供する。【解決手段】座面部８と上端にヘッドレスト部２を設けた背もたれ部５と、左右の肘掛け部６、７を備えたりリクライニングチェアー１において、前記ヘッドレスト部２の左右にスピーカ３、４を内蔵し、収納可能な表示装置１１を設置した付属装置１０を前記一方の肘掛け部６に接続する。【選択図】図１
0003134324.tif 000002
【実用新案登録請求の範囲】
【請求項１】
座面部と上端にヘッドレスト部を設けた背もたれ部と左右の肘掛け部を備えたリクライニングチェアーにおいて、前記ヘッドレスト部の左右にスピーカを内蔵し、収納可能な表示装置を設置した付属装置を前記一方の肘掛け部に接続したことを特徴とするリクライニングチェアー。
【請求項２】
前記表示装置は、テレビジョン受信機又はビデオディスク等の映像を表示する装置である請求項１に記載のリクライニングチェアー。
【請求項３】
前記表示装置は、利用者に対面して設置されており、収納時は回転させて前記付属装置に収納される請求項１又は請求項２に記載のリクライニングチェアー。
【請求項４】
前記付属装置は、前記いずれか一方の肘掛け部と着脱自在に接続されている請求項１乃至請求項３のいずれか１に記載のリクライニングチェアー。
【請求項５】
前記肘掛け部の少なくとも一方に目隠し用の遮蔽板を設置している請求項１乃至請求項４のいずれか１に記載のリクライニングチェアー。
【考案の詳細な説明】
【技術分野】
【０００１】
本考案は健康ランド等の業務用に設置されるリクライニングチェアーに関し、特に、テレビジョン等の映像が手軽に見ることができてくつろぎ感を満たすことができるようにしたものに関する。
【背景技術】
【０００２】
従来のこのようなリクライニングチェアーとしては、図３に示すように、ヘッドレスト部Ａ内にスピーカを埋設し、肘掛け部Ｂに設けた遠隔操作パネルによってテレビジョン受像機Ｄを操作するように構成されている。
【０００３】
また、テレビジョン受像機Ｄは、支持体Ｃを介してチェアー基台部Ｅの側部に取付けられており、テレビジョン受像機Ｄへの配線は、支持体Ｃ内に配設されている（例えば、特許文献１参照。）。
【０００４】
【特許文献１】特開２０００−５０９８９号公報
【考案の開示】
【考案が解決しようとする課題】
【０００５】
従来のリクライニングチェアーは、上記のような構成であるため、テレビジョン受像機Ｄを見ない場合でもテレビジョン受像機Ｄが露出されたままの状態であり、利用者にとって移動や視覚を遮ることになり、くつろぎ感を阻害することになる問題点があった。
【０００６】
また、テレビジョン受像機Ｄは旋回台に固定されていて水平方向に旋回することが可能であるが、利用者に対向して前後方向に移動させることはできないため、利用者によっては良く見えないという問題点があった。
【０００７】
本考案はこれらの問題点を解消し、利用者のくつろぎ感を阻害することなく、テレビジョン等の映像を手軽に楽しむことができるようにしたリクライニングチェアーを提供することを目的とする。
【課題を解決するための手段】
【０００８】
本考案は前記の問題点を解消すべく、座面部、上端にヘッドレスト部を設けた背もたれ部、左右の肘掛け部を備えたリクライニングチェアーにおいて、前記ヘッドレスト部の左右にスピーカを内蔵し、収納可能な表示装置を設置した付属装置を前記一方の肘掛け部に接続している。
【考案の効果】
【０００９】
本考案によれば、一方の肘掛け部に付属装置を接続する構成とし、該付属装置に収納可能な表示装置を設けたことにより、テレビジョン等を見ないときは表示装置を該付属装置内に収納できる。また、見ているときは必要に応じて利用者に対向して前後方向に調節することができる。これにより、利用者のくつろぎ感を阻害されることがなくなる。
【考案を実施するための最良の形態】
【００１０】
本考案を実施するための最良の形態の実施例を以下に説明する。
【実施例１】
【００１１】
図１は本考案によるリクライニングチェアー１の斜視図であり、該リクライニングチェアー１は、左右にスピーカ３、４を内蔵したヘッドレスト部２と、背もたれ部５と肘掛け部６、７と座面部８と足載せ台９とからなる。
【００１２】
１０は付属装置を示し、該付属装置１０は略長方形状の筐体からなり、その上面には図２に示す如く前後方向に延びる挿通口１５が形成され、該挿通口１５を挿通して該挿通口１５に沿って前後方向に移動可能に杆状の支持体１４が立設されている。
【００１３】
ここで、付属装置１０は右の肘掛け部６又は左の肘掛け部７と着脱自在に装着することで該付属装置１０の内部回路が肘掛け部の内部回路と接続されて（図示せず）、スピーカ３、４及び肘掛け部７の内面に設けた操作部１２と接続されることになる。
【００１４】
１１は表示装置を示し、該表示装置１１は液晶ディスプレイ等からなる正方形又は長方形状のテレビジョンやビデオディスク等の映像を表示するものであり、利用者に対面して前記支持体１４に支持して取付けられると共に支持体１４内の配線を通して付属装置１０の内部に設けられているテレビジョン受信機又はビデオディスク等の制御装置と接続されている。
【００１５】
操作部１２を操作することでテレビジョンやビデオディスク等の映像を表示装置１１に表示させることができ、同時にヘッドレスト部２に内蔵されたスピーカ３、４によって音を聞くことができる。
【００１６】
尚、テレビジョン受信機やビデオディスク等の制御装置は、既存の技術を採用することができる。
【００１７】
又、背もたれ部５を後方に倒すことで利用者と表示装置１１との距離が遠くなり、これによって、利用者は見ずらくなる場合には、支持体１４を細長の挿通口１５に沿って前後（Ｇ）に移動させることができる。
【００１８】
例えば、電動で背もたれ部５を後方に倒す場合は、背もたれ部５の傾斜角を検知して支持体１４を前後（Ｇ）に自動的に移動させるようにしてもよい。又、見やすい方向に回転（Ｆ）させることもできる。
【００１９】
表示装置１１を利用しない場合には、表示面を細長の挿通口１５に沿うように回転（Ｆ）させ、付属装置１０の内部に上から押し込むようにして（Ｈ）、挿通口１５を通して収納することができる。
【００２０】
これにより、利用者の邪魔にならず、また、視界を遮ることもなくなる。
【００２１】
１２は遮蔽板を示し、該遮蔽板１２は、健康ランド等で隣接してリクライニングチェアーを複数台設置した場合等に、隣りのテレビジョンの映像等が視界に入らないように目隠しをするためのものであり、肘掛け部の一方又は両方の外側に必要に応じて設置され、ヘッドレスト部２から肘掛け部にかけて円弧状に形成されている。
【００２２】
又、付属装置１０は左右の肘掛け部の一方に着脱自在に接続されるため、テレビジョン等を見ないなど必要としない場合は、取り除いておくことができる。
【００２３】
尚、１６は飲み物や灰皿等を係止する係止口を示す。
【００２４】
前記実施例においては表示装置１１を支持体１４に取付けた例を示したが、リクライニングチェアー１の斜上方の前方に乳母車の日除けの幌の如き支持手段を設け、該支持手段の内面に表示装置１１を取付け、室内の光をさえぎりながら、該表示装置１１の映像を見るようにしてもよい。
【産業上の利用可能性】
【００２５】
本考案のリクライニングチェアーは、個人向け又は業務用のリクライニングチェアーとして利用される。
【図面の簡単な説明】
【００２６】
【図１】本考案の実施例１のリクライニングチェアーのの斜視図である。
【図２】本考案の実施例１のリクライニングチェアーの要部斜視図である。
【図３】従来のリクライニングチェアーの斜視図である。
【符号の説明】
【００２７】
１        リクライニングチェアー
２        ヘッドレスト部
３、４    スピーカ
５        背もたれ部
６、７    肘掛け部
８        座面部
９        足載せ台
１０      付属装置
１１      表示装置
１２      操作部
１３      遮蔽板
１４      支持体
１５      挿通口
１６      載置台
【図１】
0003134324.tif 000003
【図２】
0003134324.tif 000004
【図３】
0003134324.tif 000005
【手続補正書】
【提出日】平成19年6月25日(2007.6.25)
【手続補正１】
【補正対象書類名】図面
【補正対象項目名】全図
【補正方法】変更
【補正の内容】
【図１】
0003134324.tif 000006
【図２】
0003134324.tif 000007
【図３】
0003134324.tif 000008